(57)【特許請求の範囲】
【請求項１】
被測定者に接触可能に配置される電極部材と、
前記電極部材の少なくとも２つが前記被測定者の身体を介して通電しているか否かを判別することで、被測定者が載ったことを検知する検知手段と、
前記電極部材を用いて前記被測定者の生体インピーダンスを測定するための生体インピーダンス測定部を有して、前記被測定者の生体情報を測定するための測定手段と、
前記検知手段が前記被測定者の身体を介して通電していることを判別して、被測定者が載ったことを検知した場合には、前記電極部材と前記生体インピーダンス測定部とを非接続から接続に切り替える切換部と、を備え、
前記検知手段が、前記被測定者が載ったことを検知する使用状態では、前記測定手段に対する電力の供給を行うこと
を特徴とする生体測定装置。
【請求項２】
前記使用状態において、前記測定手段が、前記被測定者の体重を測定することを特徴とする請求項１に記載の生体測定装置。
【請求項３】
前記使用状態において、前記測定手段が、前記被測定者の生体インピーダンスを測定することを特徴とする請求項１又は請求項２に記載の生体測定装置。
【請求項４】
前記測定手段による生体インピーダンス測定用の電極と、前記検知手段による被測定者が載ったか否かの判別用の電極とを兼用することを特徴とする請求項３に記載の生体測定装置。
【請求項５】
前記検知手段が、前記被測定者が載ったことを検知しない不使用状態では、前記被測定者が載ったか否かの判別処理に必要な電力を供給する一方、前記測定手段に対する電力の供給を停止することを特徴とする請求項１乃至請求項４のうち、いずれか１に記載の生体測定装置。
【請求項６】
前記不使用状態において、無負荷状態における荷重信号の出力であるゼロ点の更新をさらに行うことを特徴とする請求項５に記載の生体測定装置。
【請求項７】
前記検知手段は、前記電極部材の少なくとも２つの間の電圧変化を検出することにより通電しているか否かを判別し、通電していると判別した場合に、被測定者が載ったと検知することを特徴とする請求項１乃至請求項６のうち、いずれか１に記載の生体測定装置。
【発明の詳細な説明】
【技術分野】
【０００１】
本発明は、被測定者の生体情報を測定する生体測定装置に関し、特に、被測定者が生体測定装置に載ると自動的に生体情報の測定を開始する生体測定装置に関する。
【背景技術】
【０００２】
従来より、被測定者の体重、脂肪率等の生体情報を測定するための種々の生体測定装置が利用されており、例えば、家庭等では生体測定装置の一つである体脂肪計付き体重計が広く使用されている。この体脂肪計付き体重計は、一般的には測定開始スイッチ（スタートボタン）が押されてから所定の内部処理（例えば、被測定者が本体に載っていない無負荷時におけるロードセルの出力値をゼロ点とする、いわゆるゼロ点更新）が完了した後、体重計の本体の上部に被測定者が載り、体重や脂肪率等の生体情報を測定するものであるが、被測定者が生体情報を測定したいと考えたときに、即座に生体情報の測定が開始できるように、不使用状態のときに前記内部処理を完了させておき、被測定者が体重計に載ったことを検知して起動し、生体情報の測定を即座に開始できる、いわゆるステップオン型の体重計が提案されている（特許文献１）。
【０００３】
このような、ステップオン型の体重計において、被測定者が体重計に載ったことを検知して起動させるための構成としては、例えば、体重計の脚部に機械的スイッチを設け、被測定者が本体に載ったときの荷重により前記スイッチがオンされ起動するもの（特許文献１参照）、体重計の本体に振動センサを備え、所定の振動が感知された場合に被測定者が載ったと判断して起動させる等が知られている。
【０００４】
【特許文献１】特開昭６２−１２６３１８号公報
【発明の開示】
【発明が解決しようとする課題】
【０００５】
居住空間のスペースを取らない小型の体重計が求められているところ、被測定者が載る体重計の本体の寸法は、被測定者が載ることができる程度の大きさを必要とすることから、小型化するには体重計の厚さを薄くすることが必要とされる。この点、従来の機械的スイッチを脚部に組み込む構成とした場合には、機械的スイッチの存在によって体重計の厚さをさらに薄くすることが制約されてしまう。
【０００６】
また、体重計の本体には剛性の高い材料を使用することが多いが、このような体重計において前述の振動センサの振動感知による起動を行う場合、剛性が高い反面、被測定者が本体に載ることにより生じる振動も小さくなってしまうため、その振動を感知することが困難となる場合がある。
【０００７】
そこで、本発明は、機械的なスイッチを設ける必要がなく小型化を実現でき、また、高精度の振動センサを設けることなく、より正確に被測定者が載っているか否かを判別できる、簡易な構成による生体測定装置を提供することを目的とする。
【課題を解決するための手段】
【０００８】
上記課題を解決するための本発明の生体測定装置は、被測定者に接触可能に配置される電極部材と、前記電極部材の少なくとも２つが前記被測定者の身体を介して通電しているか否かを判別することで、被測定者が載ったことを検知する検知手段と、前記電極部材を用いて前記被測定者の生体インピーダンスを測定するための生体インピーダンス測定部を有して、前記被測定者の生体情報を測定するための測定手段と、前記検知手段が前記被測定者の身体を介して通電していることを判別して、被測定者が載ったことを検知した場合には、前記電極部材と前記生体インピーダンス測定部とを非接続から接続に切り替える切換部と、を備え、前記検知手段が、前記被測定者が載ったことを検知する使用状態では、前記測定手段に対する電力の供給を行うことを特徴とする。
【０００９】
また、本発明の生体測定装置は、前記使用状態において、前記測定手段が、前記被測定者の体重を測定することを特徴とする。
【００１０】
また、本発明の生体測定装置は、前記使用状態において、前記測定手段が、前記被測定者の生体インピーダンスを測定することを特徴とする。
【００１１】
また、本発明の生体測定装置は、前記測定手段による生体インピーダンス測定用の電極と、前記検知手段による被測定者が載ったか否かの判別用の電極とを兼用することを特徴とする。
【００１２】
また、本発明の生体測定装置は、前記検知手段が、前記被測定者が載ったことを検知しない不使用状態では、前記被測定者が載ったか否かの判別処理に必要な電力を供給する一方、前記測定手段に対する電力の供給を停止することを特徴とする。
【００１３】
また、本発明の生体測定装置は、前記不使用状態において、無負荷状態における荷重信号の出力であるゼロ点の更新をさらに行うことを特徴とする。
【００１４】
また、本発明の生体測定装置において、前記検知手段は、前記電極部材の少なくとも２つの間の電圧変化を検出することにより通電しているか否かを判別し、通電していると判別した場合に、被測定者が載ったと検知することを特徴とする。
【発明の効果】
【００１５】
２つの電極部材を被測定者に接触可能に設けるという簡易な構成で、少なくとも２つの電極部材が通電しているか否かを検知し、被測定者が生体測定装置の本体に載っているか否かを判別し、自動的に測定部を作動又は不作動にすることができるため、機械的スイッチを設ける必要がなくなり生体測定装置の薄型化を実現することができる。さらに、電極の通電の有無を検知することにより、振動の有無の検知よりも正確に、被測定者が載っているか否かを判別することができる。
【発明を実施するための最良の形態】
【００１６】
以下、本発明による生体測定装置を、いわゆるステップオン型の体脂肪計付き体重計に適用した実施形態について、図面を参照しつつ説明する。図１は、実施形態に係る体脂肪計付き体重計１の斜視図、図２は、通電検出モードにおける図１の体重計のブロック図、図３は、測定モードにおける図１の体重計のブロック図、図４は、図１の体重計の動作のフローチャートである。なお、図２及び図３では、装置本体３の内部に配置されている制御部（判別手段、制御手段）２９、記憶部２５、生体インピーダンス測定部４１（測定手段）、切替部４３、体重測定部４７（測定手段）が示されているが、図１では内部機構となるため図示を割愛した。
【００１７】
図１〜図３に示すように、本発明の実施形態の体脂肪計付き体重計１（以下、体重計１という。）は、略箱形に形成された本体３と、本体３の裏面側に設けられて本体３を支持する脚部（図に示さず）とを備える。本体３には、電極部材３０と、生体インピーダンス測定部４１と、体重測定部４７と、表示部２１と、操作部２２と、記憶部２５と、制御部２９と、電力を供給する電源（図に示さず）と、が設けられている。以下に、各部材の詳細な構成について説明する。
【００１８】
本体３は、樹脂（例えば、ＡＢＳ樹脂（アクリロニトリル／ブタジエン／スチレン共重合体）、ガラス）等を成形してなるカバー部材３ａ及び底板部材３ｂを組み合わせて略箱状に形成されている。なお、体重計１の製品としての強度を考慮して、本体３は、カバー部材３ａを前述のように樹脂製とし、底板部材３ｂは金属製として、これらを組み合わせて形成してもよい。
【００１９】
また、図１に示すように、本体３のカバー部材３ａの上面には、薄板状の４つの電極部材３０（通電電極３１ａ、３２ａ、測定電極３１ｂ、３２ｂ）が保持されており、これらはカバー部材３ａの上面において互いに離間して配置されている。電極部材３０を保持する構造は適宜採択可能であるが、例えば、電極部材３０を嵌め込み可能な凹部（図に示さず）をカバー部材３ａに形成し、電極部材３０とカバー部材３ａの上面とが面一となるように嵌め込んで保持するのが好適である（図１参照）。電極部材３０は、後述のように制御部２９や切替部４３に電気的に接続されている。なお、これらの電極部材に加えて、被測定者の両手でそれぞれ把持することのできるグリップ型の電極部材（手電極）を設けるようにしてもよい。
【００２０】
さらに、図１に示すように、本体３のカバー部材３ａには、電極部材３０のほかに、表示部２１、及び操作部２２が設けられている。表示部２１は、制御部２９から送られてくるデータを表示するためのデータ表示手段であって、主として被測定者の各種生体情報の表示や操作の案内表示などを行う。表示部２１としては、一例として、フルドットＬＣＤ（Ｌｉｑｕｉｄ  Ｃｒｙｓｔａｌ  Ｄｉｓｐｌａｙ）などの液晶を用いたものを採用すればよい。また、操作部２２は、被測定者の生体情報（例えば性別、年齢、身長）の入力や、体重計１の各種設定（例えば、表示部２１に表示される生体情報の文字や記号の大きさ、生体情報の種類の特定）を行うためのデータ入力手段である。本実施形態においては、一例として、表示部２１の手前側に３つのボタン式の操作部２２として構成としたが、個数・形状・操作方法は特にこれに限られず、タッチセンサ式、ダイヤル式など適宜採択可能である。また、表示部２１と操作部２２とを、例えばタッチパネル機能を備えた液晶表示パネルとして一体的に構成してもよい。入力された被測定者の生体情報や設定事項は、記憶部２５に記憶させたり、表示部２１に表示されるようになっている。
【００２１】
制御部２９は、集積回路で構成することができ、判別手段及び制御手段として機能する。なお、判別手段及び制御手段をそれぞれ別個の集積回路で構成してもよい。制御部２９は、図２のブロック図に示すように、表示部２１、操作部２２、体重測定部４７、切替部４３、及び生体インピーダンス測定部４１に電気的に接続されており、各動作を司っている。さらに、制御部２９には、電源（図に示さず）、及び記憶部２５（例えば、ＲＡＭ（Ｒａｎｄｏｍ  Ａｃｃｅｓｓ  Ｍｅｍｏｒｙ））が接続されている。
【００２２】
電源としては、体重計１を作動させる電力を供給する電池又は外部電源を利用できるようになっている。本実施形態の体重計１は、体重計１が測定に使用されていない状態（以下、不使用状態という。）では、測定処理に要される電力の供給が停止され、後述するゼロ点更新処理及び体重計１に被測定者が載ったか否かの判別処理に必要な電力のみが供給され、一方、被測定者が載ったと判別された後、即ち、体重計１が測定に使用されている状態（以下、使用状態という。）では、測定処理に要される電力の供給がなされるようになっている。このため、不使用状態では、例えば表示部２１には通電されないので何も表示がなされない。
【００２３】
本体３の内部には、本体３に載った被測定者による荷重（体重）を測定する体重測定部４７（測定手段）が設けられている。より具体的には、体重測定部４７は、例えば、荷重をかけると荷重に応じて変形する金属部材からなる起歪体と、起歪体に貼られる歪みゲージと、からなるロードセルを用いればよく、本体３は起歪体の一端に支持され、起歪体の他端が脚部（図に示さず）に支持されるように構成する。これにより、被測定者が本体３の上面に載ったときの荷重により起歪体が撓むと、歪みゲージが伸縮して歪みゲージの伸縮に応じた抵抗値（出力値）が変化し、その抵抗変化を荷重信号出力の変化として体重を測定する。すなわち、制御部２９は、本体３に負荷が掛かっていないときの体重測定部４７からの抵抗値（出力値）（いわゆるゼロ点）と、荷重が掛かったときの抵抗値（出力値）と、の差から体重を演算により求め、被測定者の体重が測定されるようになっている。このようにして取得された被測定者の体重は、記憶部２５において記憶されるとともに、表示部２１において表示されるようになっている。なお、制御部２９は、体重値の精度を高めるため体重測定部４７からの荷重信号の出力値が安定した後に、その荷重信号に基づき体重を演算するようにする。本実施形態の体重計１は、不使用状態においてゼロ点の更新を行うために、制御部２９による指示のもと、本体３に負荷がかかっていないとき（無負荷状態）の体重測定部４７からの抵抗値（出力値：ゼロ点）を所定の時間間隔で制御部２９に出力するようになっている。
【００２４】
生体インピーダンス測定部４１（測定手段）は、被測定者の足裏（つま先）に接触可能な通電電極３１ａ、３２ａに接続されて所定の微弱な定電流を付与する定電流供給部と、被測定者の足裏（かかと）に接触可能な測定電極３１ｂ、３２ｂに接続されて人体の電位差を測定するための電圧測定部と、を有する。本実施形態では、通電電極３１ａと測定電極３１ｂの対は、左足の裏に接するように、そして、通電電極３２ａと測定電極３２ｂの対は、右足の裏に接するように配置されている。これにより、被測定者が体重計１に載った場合に、定電流供給部は通電電極３１ａ、３２ａから、両足のつま先間に、両脚部（下半身）を介して電流を流し、この電流経路に発生する電位差（電圧）をかかと間で測定することにより、測定された電圧値及び印加した電流値から被測定者の生体インピーダンスを求めるようになっている。このようにして求められた被測定者の生体インピーダンスは、生体インピーダンス測定部４１から制御部２９に出力される。
【００２５】
制御部２９は、体重測定部４７により取得された体重と、生体インピーダンス測定部４１により取得された生体インピーダンスと、操作部２２によって入力された被測定者の生体情報（例えば性別・年齢・身長）などをパラメータとして、脂肪率その他の生体情報を算出するために予め定められた回帰式に適用して演算する。このような演算によって求める生体情報としては、脂肪率の他、内臓脂肪レベル（内臓脂肪面積）、体水分量、筋肉量、基礎代謝量、骨量、除脂肪量、体細胞量、血圧ＢＭＩ（Ｂｏｄｙ  Ｍａｔｈ  Ｉｎｄｅｘ）、肥満度、細胞内液量、細胞外液量などの種々のものがあり、本発明に係る生体測定装置の利用目的に応じて適宜採択すればよい。演算により取得された脂肪率等の生体情報は、表示部２１に表示したり、記憶部２５に保存される。
【００２６】
本実施形態の体重計１は、いわゆるステップオン型の体重計として構成するのが好適であり、被測定者が体重計１の本体３に載ったことを検知して体重計１による生体情報の測定・取得を自動的に開始させるようになっている。まず、ステップオン型の体重計として構成する場合に、被測定者がいつ何時、体重計１に載ったとしても、常に正確な生体情報の測定・取得を可能とするためには、体重計１が使用されていない間に、予め体重測定部４７の最新のゼロ点を設定・更新しておく必要がある。そのため、体重計１の不使用状態のときに、体重測定部４７のロードセルからの荷重信号（抵抗値）を検出する。そして、体重測定部４７で検出された荷重信号が制御部２９に送られ、制御部２９は、体重測定部４７のゼロ点を、新たに測定された荷重信号出力に代えるゼロ点更新を行うようになっている。
【００２７】
次に、被測定者が体重計１の本体３に載ったことを検知するための構成について説明する。本発明においては、被測定者に接触可能に配置される２以上の電極部材を有し、そのうちの少なくとも２つの電極部材が被測定者の身体を介して通電しているか否かを判別手段によって判別し、通電した場合には被測定者が体重計１に載ったと判断して、体重測定部４７を作動させて体重を測定し、及び、生体インピーダンス測定部４１を作動させて生体インピーダンスを測定するようになっている。本実施形態に係る体重計１においては、この電極部材を、被測定者の生体インピーダンスを測定するために用いる電極部材３０と兼用で構成する。このような構成とすることによって、電極部材の部品点数を最小限に抑えられ、また、外観デザインの煩雑化も防止できるとともに、被測定者にとっても測定のために電極部材３０に足裏を合わせて載るという動作のみを行えばよく利便性が向上するので、好ましい。
【００２８】
図１に示すように、本実施形態に係る体重計１では、電極部材３０は、４つの電極部材３０であるが、この４つの電極部材３０のうち、いずれか２つの電極部材３０が被測定者の身体を介して通電すれば、被測定者が体重計１に載ったものとして判別するようになっている。図２及び図３では、図示の簡略化のため、４つの電極部材のうち、一例として、通電電極３２ａと測定電極３２ｂとが被測定者の身体を介して通電しているか否かを判別する場合のみを示しているが、この他にも、通電電極３１ａと測定電極３１ｂとの通電、通電電極３１ａと通電電極３２ａとの通電、測定電極３１ｂと測定電極３２ｂとの通電、通電電極３１ａと測定電極３２ｂとの通電、通電電極３２ａと測定電極３１ｂとの通電、さらには、前述のグリップ型の電極部材（手電極）を設ける場合には、この手電極との関係での通電など、種々の組合せで、少なくともいずれか２つの電極部材の間の通電を判別可能に構成するようにする。また、必ずしも２つの電極部材との関係での通電を判別する構成だけでなく、同時に３つの電極部材の通電を判別するようにしてもよい。以下、図２及び図３を参照し、通電電極３２ａと測定電極３２ｂとの通電を判別するための構成について説明する。
【００２９】
図２及び図３に示すように、通電電極３１ａは、生体インピーダンス測定部４１の定電流供給端子４１ｂに電気的に接続され、測定電極３１ｂは、生体インピーダンス測定部４１の電圧測定端子４１ａに電気的に接続される。一方、通電電極３２ａ、測定電極３２ｂのそれぞれは、切替部４３により、生体インピーダンス測定部４１との接続又は非接続が切り替わるようになっている。切替部４３は、制御部２９からの切替信号を受けると、切り替えを行うようになっている。切替部４３としては、リレー、半導体等を用いることができる。
【００３０】
切替部４３は、第１切替要素４３ａと、第２切替要素４３ｂと、を備える。第１切替要素４３ａは、通電電極３２ａに接続される第１接点４５ａと、制御部２９の通電検出端子２９ａに接続される第２接点４５ｂと、生体インピーダンス測定部４１の定電流供給端子４１ｃに接続される第３接点４５ｃと、を有する。
【００３１】
また、第２切替要素４３ｂは、測定電極３２ｂに接続される第１接点４６ａと、制御部２９のグラウンド用端子２９ｃに接続される第２接点４６ｂと、生体インピーダンス測定部４１の電圧測定端子４１ｄに接続される第３接点４６ｃと、を有する。
【００３２】
第１切替要素４３ａ、第２切替要素４３ｂは、制御部２９からの切替信号により、同期して切り替えられるようになっている。すなわち、図２に示す通電検出モードでは、第１切替要素４３ａが、第１接点４５ａと第２接点４５ｂとを接続する場合には、同じく第２切替要素４３ｂも、第１接点４６ａと第２接点４６ｂとを接続する。通電検出モードでは、通電電極３２ａ、測定電極３２ｂ間の通電の有無を判別手段としての制御部２９により判別される。
【００３３】
また、図３に示す測定モードでは、第１切替要素４３ａが、第１接点４５ａと第３接点４５ｃとを接続し、第２切替要素４３ｂが、第１接点４６ａと第３接点４６ｃとを接続し、被測定者の生体インピーダンスを測定できる状態となっている。
【００３４】
上記のとおり、通電電極３２ａ、測定電極３２ｂのそれぞれは、生体インピーダンス測定部４１により生体インピーダンスを測定するための電極部材として機能するとともに、体重計１に被測定者が載っていることを検知するための電極部材としても機能する測定・検知兼用電極を構成する。
【００３５】
なお、体重計１は、不使用状態では通電検知モードになっており、通電電極３２ａ、測定電極３２ｂは、切替部４３により制御部２９に接続されている（図２参照）。本体３に被測定者が載ることにより、被測定者の身体を介して通電していることを制御部２９が検出すると、被測定者が載っていると判別し、切替部４３に切替信号を送る。
【００３６】
なお、本実施形態では、通電検出端子２９ａ及びグラウンド用端子２９ｃを介して電源（図に示さず）から通電電極３２ａと測定電極３２ｂとの間に定電圧をかけておき、制御部２９により両電極３２ａ、３２ｂ間の電圧変化を検出することにより、通電したか否か、被測定者が載っているか否かの判別を行う構成を採用している。被測定者が本体３に載っておらず、通電電極３１ｂと測定電極３２ｂとの間が開放されている（通電していない）場合には、制御部２９は、電源から供給される定電圧に相当する電圧値を検出し、本体３に被測定者が載っていないと判別する。他方、被測定者が本体３に載り、通電電極３２ａと測定電極３２ｂとの間が閉鎖（通電）している場合には、制御部２９は両電極３２ａ、３２ｂ間における電圧変化（電圧降下）を検出し、本体３に被測定者が載っていると判別する。また、本発明の通電の有無を検出する構成は本実施形態に限定されず、電極間の電流の変化を検出することにより通電の有無を判別する構成としても良い。
【００３７】
上述したように、被測定者が載っていると判別され、判別手段としての制御部２９からの切替信号を受けた切替部４３は測定モードに切り替わり（図３参照）、通電電極３２ａ、測定電極３２ｂは、生体インピーダンス測定部４１に電気的に接続され、生体インピーダンス測定部４１を作動させて生体インピーダンスの測定が開始されるとともに、体重測定部４７を作動させて体重の測定が開始されるようになっている。
【００３８】
生体インピーダンスの測定後、切替部４３を通電検出モード（図２参照）に戻す条件（切替条件）は、適宜設定できる。例えば、生体インピーダンス測定部４１による生体インピーダンスの測定が終わった後であって所定時間を経過した後に、制御部２９から切替部４３に切替信号を送り通電検出モードに切り替えることや、体重測定部４７により検知された出力値が所定値以下となった場合に、被測定者が本体３から降りたものと制御部２９により判別させて、切替部４３を通電検出モードに切り替える構成等が採用できる。また、体重計１によって取得された生体情報の表示部２１への所定の表示処理が終了した時点をもって、制御部２９から切替部４３に切替信号を送り通電検出モードに切り替えるようにしてもよい。
【００３９】
以下に、上記構成の体重計１の作動工程について説明する。図４は、体重計１における、生体インピーダンスの測定の工程を示すフローチャートである。まず、体重計１は、不使用状態において、ゼロ点設定が行われる。また、切替部４３は、通電検知モードになっている（図２参照）。
【００４０】
最初のステップＳ１において、制御部２９により通電電極３２ａ、測定電極３２ｂ間の通電の有無が判別される。前述の通り電圧変化を検出し通電していることが検知されると（ステップＳ１でＹｅｓ）、制御手段としての制御部２９は、切替信号を切替部４３に送り、切替部４３を通電検知モードから測定モード（図３参照）に切り替える（ステップＳ２）。制御部２９が通電していないと判別すると（ステップＳ１でＮｏ）、切替信号は送られずに切替部４３は通電検知モードが維持される。
【００４１】
次に、ステップＳ３では、体重測定部４７及び生体インピーダンス測定部４１を作動させて、被測定者の体重、生体インピーダンス、その他の生体情報を測定・取得する。体重測定部４７からの出力値は制御部２９に伝達されて被測定者の体重が算出される。また、生体インピーダンス測定部４１を構成する電圧測定部からの出力値は、制御部２９の測定用入出力端子２９ｂから制御部２９に伝達され、生体インピーダンスが算出される。そして、体重及び生体インピーダンス、並びに被測定者によって入力された生体情報等をパラメータとして、脂肪率その他の生体情報が算出され、表示部２１に表示されたり、記憶部２５内に保存される。
【００４２】
インピーダンス測定（ステップＳ３）の後、所定の時間が経過した場合、体重測定部４７により検知される出力値が所定値以下となった場合、その他の上記所定の切替条件が具備された場合（ステップＳ４でＹｅｓ）には、制御部２９は、切替信号を切替部４３に送り、測定モードから通電検知モード（図２参照）へと切替部４３を切り替え（ステップＳ５）、体重計１は不使用状態となる。なお、上記切替条件が具備されていない場合（ステップＳ４でＮｏ）には、その後も切替条件を具備したか否かの判断を継続的に繰り返すようにすればよい。
【００４３】
以上のように、本発明によれば、２つの電極部材を被測定者に接触可能に設けるという簡易な構成で、少なくとも２つの電極部材が通電しているか否かを検知し、被測定者が生体測定装置の本体に載っているか否かを判別し、自動的に測定部を作動させることができるため、機械的スイッチを設ける必要がなくなり生体測定装置の薄型化を実現することができる。さらに、電極部材の通電の有無を検知する構成であるので、振動の有無の検知よりも正確に、被測定者が載っているか否かを判別することができる。
【００４４】
上記の実施形態では、いずれか２つの電極部材の通電を判別したことをもって体重測定部や生体インピーダンス測定部を作動させる構成としたが、これは具体的には、被測定者がその右足足裏のうち、つま先が通電電極３２ａに、かかとが測定電極３２ｂに、それぞれ接触したことによって通電する場合である。このような実施形態の他、右足が通電電極３２ａ及び測定電極３２ｂに接触した後、左足足裏のつま先が通電電極３１ａに、かかとが測定電極３１ｂに接触したことによって更なる通電を判別したことをもって、生体インピーダンス測定部を作動させる構成としてもよい。
【００４５】
また、上記の実施形態では、いずれか２つの電極部材の通電を判別したことをもって体重測定部や生体インピーダンス測定部を作動させる構成としたが、通電の解除を判別することによって不作動にするように構成してもよい。この場合、例えば、電極部材の通電を判別して体重測定部や生体インピーダンス測定部を作動させた後も、各電極部材間の通電状態を監視する回路を加えた構成とし、体重測定部や生体インピーダンス測定部による適正な測定のための所定時間（例えば、測定値の安定が確認できるまでの時間）を経過する前に、一部又は総ての電極部材間での通電の解除が判別された場合には、体重測定部や生体インピーダンス測定部を不動作として測定を中止し、表示部２１にエラーメッセージを表示するようにする。または、通電の解除が判別された時点から所定時間を経過した後に、制御部２９から切替部４３に切替信号を送り通電検出モード（不使用状態）に切り替えるようにしてもよい。
【００４６】
上記実施形態では、通電検知するための電極部材として機能し、かつ、生体インピーダンスを測定するための電極部材としても機能する、測定・検知兼用電極部材として構成したが、本発明は、この構成に限定されない。すなわち、電極部材３０とは別に、通電検知するための電極部材を設ける構成としてもよい。
【００４７】
また、上記実施形態では、複数の生体情報を取得する構成としたが、単一の生体情報として被測定者の体重のみを測定する体重計であっても、本発明を適用できることは言うまでない。この場合には、図１に示すような４つの電極部材を設ける必要はなく、被測定者に接触可能な２つの電極部材を配置するようにすればよい。また、被測定者の身長・年齢・性別といった生体情報の入力作業が必要ないことから、操作部が不要となり、更なる薄型化を図りやすいものとなる。
【００４８】
上記の実施形態に係る体重計１は、いわゆるステップオン型の体重計であり、被測定者が体重計１の本体３に載ったことを検知する構成として、いずれか２つの電極部材の通電を判別する構成のみを備えたものを説明したが、これに加えて、従来のステップオン型の体重計において広く採用されているように、不使用状態において体重測定部における出力値の変化を監視しておき、急激な出力値の変化が現れた時点をもって、又は、所定の出力値を超えた時点をもって、体重計に被測定者が載ったと判断する構成を組み合わせてもよい。被測定者が体重計１の本体３に載ったことを検知する手段として、全く異なる２つの構成を合わせ備えることによって、より確実に、被測定者が体重計１の本体３に載ったことを検知することが可能となる。
【００４９】
この発明は、その本質的特性から逸脱することなく数多くの形式のものとして具体化することができる。よって、上述した実施形態は専ら説明上のものであり、本発明を制限するものではないことは言うまでもない。
【図面の簡単な説明】
【００５０】
【図１】実施形態に係る体脂肪計付き体重計１の斜視図である。
【図２】通電検出モードにおける図１の体重計のブロック図である。
【図３】測定モードにおける図１の体重計のブロック図である。
【図４】図１の体重計の動作のフローチャートである。
【符号の説明】
【００５１】
１                  体脂肪計付き体重計（生体測定装置）
３                  本体
３ａ                カバー部材
３ｂ                底板部材
２１                表示部
２２                操作部
２５                記憶部
２９                制御部（判別手段、制御手段）
３０                電極部材
３１ａ、３２ａ      通電電極
３１ｂ、３２ｂ      測定電極
４１                生体インピーダンス測定部（測定手段）
４３                切替部
４３ａ              第１切替要素
４３ｂ              第２切替要素
４７                体重測定部（測定手段）
【図１】
0005673975.tif 000002
【図２】
0005673975.tif 000003
【図３】
0005673975.tif 000004
【図４】
0005673975.tif 000005